(57)【要約】【課題】デジタルカメラや携帯電話機などの電子機器からコンピュータ等の外部機器へデータ転送をする際に、電子機器とは別にメモリカード変換アダプタを携行しなくてはならないという不便を解消できるレンズバリア、デジタルカメラおよび携帯電話機を提供することを目的とする。【解決手段】本発明にかかるレンズバリア１０２は、マイクロＳＤカード接続部５２を備えたデジタルカメラ１００に用いられ、マイクロＳＤカード１１０Ｂを装着することによりマイクロＳＤカード１１０Ｂの接点部形状を同種異形のメモリカード（ＳＤカード）の接点部形状に変換するメモリカード変換アダプタ１１２を収納する収納部１１４を有することを特徴とする。【選択図】  図１
2010124387.tif 000002
【特許請求の範囲】
【請求項１】
第１のメモリカードが接続される接続部を備えたデジタルカメラに用いられるレンズバリアにおいて、
前記第１のメモリカードを装着することにより該第１のメモリカードの接点部形状を第２のメモリカードの接点部形状に変換するメモリカード変換アダプタを収納する収納部を有することを特徴とするレンズバリア。
【請求項２】
請求項１に記載のレンズバリアにおいて、
前記収納部は、前記メモリカード変換アダプタを、略平板状の当該レンズバリアと略平行な姿勢で、当該レンズバリアの厚みの範囲に収納することを特徴とするレンズバリア。
【請求項３】
第１のメモリカードが接続される接続部を備えたデジタルカメラに用いられるレンズバリアにおいて、
前記第１のメモリカードを装着することにより該第１のメモリカードの接点部形状を第２のメモリカードの接点部形状に変換するメモリカード変換アダプタとして機能する変換アダプタ機能部と、
前記変換アダプタ機能部を装着することにより、前記レンズバリア全体を形成する装着部材と、
を含むことを特徴とするレンズバリア。
【請求項４】
請求項３に記載のレンズバリアにおいて、
前記装着部材は、前記変換アダプタ機能部を、略平板状の該装着部材と略平行な姿勢で、該装着部材の端部に装着させる装着部を有することを特徴とするレンズバリア。
【請求項５】
請求項４に記載のレンズバリアにおいて、
前記装着部は、前記変換アダプタ機能部を、前記装着部材に抜き差し自在に装着させる機構を有することを特徴とするレンズバリア。
【請求項６】
請求項５に記載のレンズバリアにおいて、
前記抜き差し自在に装着させる機構は、ラッチ機構であることを特徴とするレンズバリア。
【請求項７】
請求項１から６のいずれか１項に記載のレンズバリアにおいて、
当該レンズバリアは、前記デジタルカメラ本体に着脱式に取り付けられることを特徴とするレンズバリア。
【請求項８】
筐体と、
前記筐体上をスライド移動して、撮像レンズの前面を露出させる開状態または該撮像レンズの前面を覆う閉状態のいずれかに自在に移動するレンズバリアと、
を備え、
前記レンズバリアは、請求項１から７のいずれか１項に記載のレンズバリアであることを特徴とするデジタルカメラ。
【請求項９】
請求項８に記載のデジタルカメラにおいて、さらに、
前記レンズバリアの開閉を検出する検出部と、
前記検出部の検出結果に基づいて、前記デジタルカメラの電源のＯＮ／ＯＦＦを切り替える切替部とを備えることを特徴とするデジタルカメラ。
【請求項１０】
請求項１から７のいずれか１項に記載のレンズバリアを有することを特徴とする携帯電話機。
【発明の詳細な説明】
【技術分野】
【０００１】
本発明は、デジタルカメラや携帯電話機などに用いられるレンズバリア、デジタルカメラおよび携帯電話機に関するものである。
【背景技術】
【０００２】
記録メディアとしてＳＤ（Secure Digital）カード（登録商標）を使用するデジタルカメラでは、ＳＤカード用スロットがカメラ本体に内蔵されている。
【０００３】
近年、デジタルカメラの小型化が求められ、記録メディアとして、ＳＤカードより寸法が小さいマイクロＳＤカード（登録商標）を装着可能なスロットを装備したデジタルカメラが提案されている。
【０００４】
一方、コンピュータ等の外部機器は、その本体に各種の拡張スロットを設けていて、ＳＤカードやＣＦ（Compact Flash）カード等に記録されたデータを読み込む。しかし、マイクロＳＤカードのような小型の記録メディアに対応した拡張スロットは、現状では設けられていない。
【０００５】
したがって、マイクロＳＤカードに記録された画像データ等をコンピュータ等の外部機器に読み込む場合は、メモリカード変換アダプタ（例えば特許文献１）が必須となる。メモリカード変換アダプタによれば、あるメモリカードの接点形状を、同種異形、あるいは異種のメモリカードの接点部形状に変換可能である。
【特許文献１】特開２００１−１８８８８３号公報
【発明の開示】
【発明が解決しようとする課題】
【０００６】
しかし、デジタルカメラで撮像した画像データをコンピュータ等の外部機器へデータ転送することが想定されるため、デジタルカメラ等の電子機器とは別に、メモリカード変換アダプタを常に携行することは、不便である。
【０００７】
本発明は、このような課題に鑑み、デジタルカメラや携帯電話機などの電子機器からコンピュータ等の外部機器へデータ転送をする際に、電子機器とは別にメモリカード変換アダプタを携行しなくてはならないという不便を解消できるレンズバリア、デジタルカメラおよび携帯電話機を提供することを目的としている。
【課題を解決するための手段】
【０００８】
上記課題を解決するために、本発明の代表的な構成は、第１のメモリカードが接続される接続部を備えた電子機器に用いられるレンズバリアにおいて、第１のメモリカードを装着することにより第１のメモリカードの接点部形状を第２のメモリカードの接点部形状に変換するメモリカード変換アダプタを収納する収納部を有することを特徴とする。
【０００９】
上記の収納部は、メモリカード変換アダプタを、略平板状の当該レンズバリアと略平行な姿勢で、当該レンズバリアの厚みの範囲に収納してよい。
【００１０】
上記課題を解決するために、本発明の他の代表的な構成は、第１のメモリカードが接続される接続部を備えたデジタルカメラに用いられるレンズバリアにおいて、第１のメモリカードを装着することにより第１のメモリカードの接点部形状を第２のメモリカードの接点部形状に変換するメモリカード変換アダプタとして機能する変換アダプタ機能部と、変換アダプタ機能部を装着することにより、レンズバリア全体を形成する装着部材とを含むことを特徴とする。
【００１１】
上記の装着部材は、変換アダプタ機能部を、略平板状の装着部材と略平行な姿勢で、装着部材の端部に装着させる装着部を有してよい。
【００１２】
上記の装着部は、変換アダプタ機能部を、装着部材に抜き差し自在に装着させる機構を有してよい。
【００１３】
上述の抜き差し自在に装着させる機構は、ラッチ機構であってよい。
【００１４】
上記のレンズバリアは、デジタルカメラ本体に着脱式に取り付けられるようにしてもよい。
【００１５】
上記課題を解決するために、本発明にかかるデジタルカメラの代表的な構成は、筐体と、筐体上をスライド移動して、撮像レンズの前面を露出させる開状態または撮像レンズの前面を覆う閉状態のいずれかに自在に移動するレンズバリアと、を備え、レンズバリアは、上述のいずれかのレンズバリアであることを特徴とする。
【００１６】
上記のデジタルカメラは、レンズバリアの開閉を検出する検出部と、検出部の検出結果に基づいて、デジタルカメラの電源のＯＮ／ＯＦＦを切り替える切替部を備えてもよい。
【００１７】
上記課題を解決するために、本発明にかかる携帯電話機の代表的な構成は、上述のいずれかのレンズバリアを有することを特徴とする。
【００１８】
上述したレンズバリアにおける技術的思想に対応する構成要素やその説明は、当該デジタルカメラおよび携帯電話機にも適用可能である。
【発明の効果】
【００１９】
以上のように、本発明によれば、デジタルカメラや携帯電話機などの電子機器からコンピュータ等の外部機器へデータ転送をする際に、電子機器とは別にメモリカード変換アダプタを携行しなくてはならないという不便を解消できるレンズバリア、デジタルカメラおよび携帯電話機を提供可能である。
【発明を実施するための最良の形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００２１】
（第１の実施形態）
図１は本発明の第１の実施形態であるレンズバリアの構成図である。図１（ａ）（ｂ）は、デジタルカメラ１００の概略正面図であり、図１（a）は、レンズバリア１０２が閉じている状態を、図１（ｂ）は、レンズバリア１０２が開いている状態を示す。
【００２２】
本実施形態では、撮像レンズ４１０はデジタルカメラ１００の前面に設けられている。図１（ａ）（ｂ）に示すようにレンズバリア１０２は、デジタルカメラ１００前面の撮像レンズ４１０を覆い保護する位置（図１（ａ））、撮像レンズ４１０が露出される位置（図１（ｂ））間を、スライド移動可能である。ただし、レンズバリア１０２は、前面に限らず、デジタルカメラ１００の筐体の、撮像レンズ４１０が設けられている位置に応じて、どの部位に配置してもよい。
【００２３】
レンズバリア１０２は略平板状の形状を有し、背面（デジタルカメラ１００と向き合う面）に凸部（図示は省略）が設けられている。この凸部は、デジタルカメラ１００の前面に短手方向に設けられた溝であるレール１０４と係合して短手方向にスライド可能に固定する。そしてレンズバリア１０２は、レール１０４上をスライド移動する。ただしレンズバリア１０２は、スライド式に限られず、ヒンジ式その他、いかなる方式で開閉および取り外しされるものでもよい。
【００２４】
デジタルカメラ１００は、その筐体内に、マイクロＳＤカード接続部５２を備え、ここに第１のメモリカード（本実施形態ではマイクロＳＤカード１１０Ａ）を接続可能である。
【００２５】
図１（ｃ）（ｄ）は、それぞれ、レンズバリア１０２部分の平面図および正面図である。図１（ｅ）はレンズバリア１０２からメモリカード変換アダプタ１１２を取り外した状態を示す。図１（ｅ）に示すように、メモリカード変換アダプタ１１２のメモリカード用スロット１１１には、マイクロＳＤカード１１０Ｂが装着でき、同種異形の第２のメモリカード（本実施形態ではＳＤカード）の接点部形状に変換する。レンズバリア１０２は、このメモリカード変換アダプタ１１２を収納する収納部１１４を有する。
【００２６】
上記構成によれば、メモリカード変換アダプタ１１２をレンズバリア１０２に収納可能であるため、コンピュータ等の外部機器へのデータ転送用のアダプタをデジタルカメラ１００と別に携行する不便さを解消できる。すなわち、マイクロＳＤカード１１０ＡをマイクロＳＤカード接続部５２から抜き取り、収納されていたメモリカード変換アダプタ１１２に装着してコンピュータ等の外部機器へ接続できる。
【００２７】
また、マイクロＳＤカード接続部５２に接続して使用しているマイクロＳＤカード１１０Ａとは別に、メモリカード変換アダプタ１１２にも予備のマイクロＳＤカード１１０Ｂを収納しておき、例えば、撮像したデータでマイクロＳＤカード１１０Ａの容量が飽和しても、予備のマイクロＳＤカード１１０Ｂと交換することで、撮像を継続することが可能となる。
【００２８】
しかも、メモリカード変換アダプタ１１２は、デジタルカメラ１００の筐体内部に収納されず、レンズバリア１０２の内部に収納されるため、デジタルカメラ１００の筐体内のスペースを占有しない。したがって、デジタルカメラ１００の小型化を阻害することもない。
【００２９】
図１（ｃ）（ｄ）に示すように、収納部１１４は、メモリカード変換アダプタ１１２を、略平板状のレンズバリア１０２と略平行な姿勢で、レンズバリア１０２の厚みｄの範囲に収納している。厚みの薄い平板状のレンズバリア１０２にメモリカード変換アダプタ１１２を収納する必要があることから、収納部１１４は、メモリカード変換アダプタ１１２またはＳＤカードそのものを、レンズバリア１０２と略平行な姿勢で収納するようにしたものである。また、レンズバリア１０２のスライドを阻害せず、デジタルカメラ全体の美観を損ねないために、収納部はレンズバリア１０２の厚みの範囲内に設ける。
【００３０】
本実施形態では、メモリカード変換アダプタ１１２は、図１（ｅ）の矢印１１６に示すように、レンズバリア１０２の短手方向に収納されているが、長手方向に収納してもよい。
【００３１】
（比較例）
図６は本発明の各実施形態との比較例を示す構成図である。以下、比較例について、第１の実施形態と異なる点のみ説明する。マイクロＳＤカード１１０Ａは、デジタルカメラ５０の筐体内に設けられたマイクロＳＤカード接続部５２に接続される。
【００３２】
しかし比較例の構成では、コンピュータ等の外部機器へデータを転送することが想定される場合に、デジタルカメラ５０とは別に、メモリカード変換アダプタ１１２を常に携行する必要があるため、不便さは否めない。
【００３３】
（第２の実施形態）
図２は本発明の第２の実施形態であるレンズバリアの構成図である。第１の実施形態と異なる点について、以下、説明する。本実施形態では電子機器としてデジタルカメラ２００を用いる。図２（ａ）（ｂ）は、デジタルカメラ２００の概略正面図であり、図２（a）は、レンズバリア２０２（変換アダプタ機能部２０２Ａおよび装着部材２０２Ｂから成る）が閉じている状態を、図２（ｂ）は、レンズバリア２０２が開いている状態を示す。レンズバリア２０２は、本実施形態でもデジタルカメラ２００の前面に設けられているが、前面に限らず、デジタルカメラ２００の筐体の、撮像レンズ４１０が設けられている位置に応じてどの部位に配置してもよい。
【００３４】
図２（ｃ）は、レンズバリア２０２が取り外された状態を示す。レール２０４は、デジタルカメラ１００の前面の下端まで延びていて、レンズバリア２０２を下方へスライドさせることで、取り外しが可能である。また、レンズバリア２０２は、押入可能な突起であるストッパ２０８によって固定され、ストッパ２０８を押し入れることによって取り外される。
【００３５】
図２（ｄ）（ｅ）は、それぞれ、レンズバリア２０２の平面図および正面図である。一方、図２（ｆ）（ｇ）は、それぞれ、変換アダプタ機能部２０２Ａと装着部材２０２Ｂとを分離した平面図および正面図である。
【００３６】
図２（ｆ）（ｇ）に示すように、変換アダプタ機能部２０２Ａは、マイクロＳＤカード１１０Ｂをメモリカード用スロット２１１に装着してＳＤカードの接点部形状に変換するメモリカード変換アダプタとして機能する。レンズバリア２０２は、変換アダプタ機能部２０２Ａと、変換アダプタ機能部２０２Ａを装着することにより、レンズバリア２０２全体を形成する装着部材２０２Ｂと、により構成される。
【００３７】
上述の変換アダプタ機能部２０２Ａは、第１のメモリカードを装着できる装着部と、第２のメモリカードと同一の接点部形状である接点部を有し、第１のメモリカードの接点部形状を第２のメモリカードの接点部形状に変換できる。かかる構成においても、レンズバリア２０２の一部である変換アダプタ機能部２０２Ａをメモリカード変換アダプタとして利用できるため、メモリカード変換アダプタをデジタルカメラ２００と別に携行する不便さを解消できるし、デジタルカメラの小型化を阻害することもない。
【００３８】
図２（ｄ）〜（ｇ）に示すように、装着部２０６は、変換アダプタ機能部２０２Ａを、略平板状の装着部材２０２Ｂと略平行な姿勢で、装着部材２０２Ｂの端部に装着させる。これも、レンズバリア２０２の形状を考慮して、変換アダプタ機能部２０２Ａを、レンズバリア２０２と略平行な姿勢で装着させるようにしたものである。
【００３９】
本実施形態では、変換アダプタ機能部２０２Ａは、図２（ｆ）に示すように、レンズバリア２０２の長手方向（矢印２１６方向）に接続されているが、短手方向に接続してもよい。
【００４０】
装着部２０６は、変換アダプタ機能部２０２Ａを、装着部材２０２Ｂに抜き差し自在に装着させる機構を有する。すなわち装着部２０６には、着脱が容易な抜き差し自在な機構としている。本実施形態においては、例えばラッチ機構を用いることができる。
【００４１】
図２においてラッチ機構を具体的に説明する。変換アダプタ機能部２０２Ａが装着部材２０２Ｂを装着しているとき、装着部材２０２Ｂの半球型の突起２２０が変換アダプタ機能部２０２Ａの半球型の窪み２２２に嵌る。かかる突起２２０は、抜き差しのとき、図２（ｇ）の端部Ａで引っかかり、また、図２（ｆ）の破線Ｂ上で擦れる。ここで、装着部２０６と変換アダプタ機能部２０２Ａとの嵌め込み部分に、厚み方向に僅かに変形できるような遊びを持たせ（図２（e）の遊び幅Ｃ）、突起２２０の高さはその変形で十分抜き差し可能となる程度とする。かかる構成により、変換アダプタ機能部２０２Ａの着脱が容易で抜き差し自在な機構を簡易な構成で実現でき、製造コストの削減が可能である。
【００４２】
なお、本実施形態では、装着部２０６をラッチ機構としたが、バネやスライドによる機構を用いることもできる。
【００４３】
レンズバリア２０２自体も、既に説明したようにデジタルカメラ２００に着脱式に取り付けられている。これにより、レンズバリア２０２をオプション品とすることができる。すなわち、デジタルカメラ２００には、当初、図６のレンズバリア５４のような通常のレンズバリアを標準装備しておく。そしてユーザは、その要望に応じて、その一部（変換アダプタ機能部２０２Ａ）がメモリカード変換アダプタとして機能する、本実施形態にかかるレンズバリア２０２を、別途入手できる。したがってデジタルカメラ全体を取り替える必要はない。
【００４４】
（第３の実施形態）
図３は本発明の第３の実施形態であるレンズバリアの構成図である。これは第２の実施形態を変形したものであり、第２の実施形態と異なる点について、以下、説明する。本実施形態では電子機器としてデジタルカメラ３００を用いる。図３（ａ）〜（ｃ）は、デジタルカメラ３００の概略正面図である。図３（ａ）は、レンズバリア３０２が閉じている状態を、図３（ｂ）は、レンズバリア３０２が開いている状態を、図３（ｃ）は、レンズバリア３０２が取り外されている状態を示す。図３（ｄ）（ｅ）は、それぞれ、レンズバリア３０２を拡大した平面図および正面図である。図３（ｆ）（ｇ）は、それぞれ、変換アダプタ機能部３０２Ａと装着部材３０２Ｂとを分離した平面図および正面図である。
【００４５】
本実施形態では、第２の実施形態とは対照的に、ＳＤカード３１０からマイクロＳＤカードへのメディア変換を行うものである。デジタルカメラ３００は、その筐体内に、ＳＤカード接続部５６を有し、ここにＳＤカード３１０を接続可能である。図３（ｆ）（ｇ）に示すように、変換アダプタ機能部３０２Ａは、ＳＤカード３１０をメモリカード用スロット３１１に装着してマイクロＳＤカードの接点部形状に変換するメモリカード変換アダプタとして機能する。レンズバリア３０２は、変換アダプタ機能部３０２Ａを装着することにより、レンズバリア２０２全体を形成する装着部材３０２Ｂと、により構成される。
【００４６】
このように、本実施形態におけるレンズバリアは、２つの同種異形のメディアカードがある場合、どちらのメディアカードから他方のメディアカードに接点部形状を変換してもよい。また、レンズバリアは、１対１の変換に限られず、多対多の変換に用いてもよい。変換対象となるメディアも、同種異形のＳＤカードやマイクロＳＤカードに限られず、異種のメディア、例えばコンパクトフラッシュ（登録商標）カード、マルチメディアカードなど、既存の様々な形式のフラッシュメモリに適用してよい。
【００４７】
上述した第１〜第３の実施形態では、デジタルカメラ１００、２００、３００の短手方向にスライドするレンズバリア１０２、２０２、３０２を例に挙げたが、これに限られず、デジタルカメラ１００、２００、３００の長手方向等、レンズバリアと略平行のどの方向にスライドするスライド機構を備えてもよい。その場合、スライドの方向に応じて、レンズバリアの大きさは変更してよい。
【００４８】
また、第１〜第３の実施形態では、レンズバリア１０２、２０２、３０２は、スライド移動によってデジタルカメラ１００、２００、３００から突出するが、突出しないように、例えば入れ子式に伸縮する構成のレンズバリアとしてもよい。
【００４９】
（第４の実施形態）
図４は本発明の第４の実施形態である携帯電話機の構成図である。本実施形態は、図１の第１の実施形態におけるレンズバリア１０２を、携帯電話機３５０に適用したものである。レンズバリア３５２は、メモリカード変換アダプタ１１２を収納する収納部１１４を有する。メモリカード変換アダプタ１１２にマイクロＳＤカード１１０Ｂを装着することにより、マイクロＳＤカード１１０Ｂの接点部形状をＳＤカード３１０の接点部形状に変換する。レンズバリア３５２は、矢印で示す方向に摺動するスライド式であり、撮像レンズ４１０を覆い保護する。
【００５０】
携帯電話機３５０の筐体３５６は、マイクロＳＤカード１１０Ｂを接続可能なマイクロＳＤカード用スロット３６１を有している。このマイクロＳＤカード用スロット３６１に装着されるマイクロＳＤカード１１０Ｂを、図４に示すように、レンズバリア３５２に収納されたメモリカード変換アダプタ１１２に装着可能である。そして、メモリカード変換アダプタ１１２をコンピュータ等の外部機器へ接続することにより、データ転送可能である。
【００５１】
本実施形態は、第１の実施形態におけるレンズバリア１０２を、携帯電話機３５０に適用したものであるが、第２および第３の実施形態を携帯電話機に適用してもよいことは言うまでもない。
【００５２】
本実施形態は、スライド式の携帯電話機３５０であるが、折り畳み式やストレート型の筐体を有する携帯電話機（図示は省略）に、第１〜第３の実施形態におけるレンズバリアを適用してもよい。
【００５３】
第１〜第３の実施形態におけるレンズバリア１０２、２０２、３０２は、本実施形態のような携帯電話機だけでなく、他の電子機器にも適用してよいことは言うまでもない。例えば、ノート型パーソナルコンピュータ、ＰＤＡ（Personal Digital Assistant）、音楽プレーヤ、カーナビゲーション、ポータブルテレビ、ゲーム機器、ＤＶＤプレーヤ、リモートコントローラ等、様々な電子機器において、撮像レンズ４１０を備えていた場合、その撮像レンズ４１０を保護するレンズバリアとして適用してよい。
【００５４】
（デジタルカメラ内部構成）
図５は図１のデジタルカメラの構成の一例を示すブロック図である。図５を用いて、上述したレンズバリア以外のデジタルカメラの構成について、以下、説明する。
【００５５】
図５のＣＣＤ（Charge Coupled Device; 電荷結合素子）４２０は、被写界を撮像して電子的な画像信号を生成する撮像手段であり、例えば１６００×１２００個の画素を有する。ＣＣＤ４２０は、撮像レンズ４１０によって結像された被写体の光像を、画素毎にＲ（赤）、Ｇ（緑）、Ｂ（青）の色成分の画像信号（各画素で受光された画素信号の信号列からなる信号）に光電変換して出力する。
【００５６】
ＣＣＤ４２０から得られる画像信号（アナログ信号）は、アナログ信号処理回路４３０に与えられる。アナログ信号処理回路４３０は、画像信号に対して所定のアナログ信号処理を行う回路である。アナログ信号処理回路４３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００５７】
Ａ／Ｄ変換器４４０は、画像信号の各画素信号を、例えば１２ビットのデジタル信号に変換する。変換後のデジタル信号は、中央処理装置（ＣＰＵ: Central Processing Unit）４５０に与えられ、画像データとして一時的にＲＡＭ（Random Access Memory）４６０に格納される。ＲＡＭ４６０に保存された画像データは、画像処理部４８０によって色補正処理等を施された後、圧縮伸張部４９０による圧縮処理等が施される。
【００５８】
また、マイク５００から得られる音声信号は、音声処理部５１０に入力される。音声処理部５１０に入力された音声信号は、音声処理部５１０内に設けられたＡ／Ｄ変換器（図示省略）により、デジタル信号に変換され、一時的にＲＡＭ４６０に格納される。デジタル化された音声信号は、再び音声処理部５１０に送り、スピーカ５０２から再生可能である。
【００５９】
操作部５２０は、電源ボタン５２０Ａ、各種の操作ボタン５２０Ｂ、シャッタレリーズボタン５２０Ｃ等を含み、ユーザがデジタルカメラ１００の設定を変更操作する際や撮像操作を行う際等に用いられる。
【００６０】
電源装置１０８は、デジタルカメラ１００に対する電源供給源である。これはリチウムイオン電池などの二次電池を用いてよい。
【００６１】
リアルタイムクロック５４０は、現在時刻を取得するためのもので、画像への日付写し込み等で必要となる撮像日時の取得に利用される。
【００６２】
ＣＰＵ４５０は、ＲＡＭ４６０およびＲＯＭ（Read Only Memory）５５０に記録された所定のプログラムを実行することにより、上記各部を統括的に制御する。なお、ＲＡＭ４６０は、高速アクセス可能な半導体メモリであり、ＲＯＭ５５０は電気的に書き換えが不可能な不揮発の半導体メモリ（例えばフラッシュＲＯＭ）として構成される。また、ＲＡＭ４６０内における一部の領域は、一時記憶用のバッファエリアとして機能し、画像データおよび音声データを一時的に記憶する。
【００６３】
ＣＰＵ４５０は、画像処理部４８０、圧縮伸張部４９０、音声処理部５１０、検出部７００、および切替部７１０を有する。これら各処理部４８０、４９０、５１０、７００、７１０は、マイクロコンピュータが所定のプログラムを実行することにより実現される、機能部位である。
【００６４】
画像処理部４８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮伸張部４９０は、画像処理部４８０によって色補正処理等が行われた画像データを、さらに圧縮する。圧縮方式としては、例えばＪＰＥＧ（Joint Photographic Experts Group）方式などが採用される。音声処理部５１０は、音声データに対する各種のデジタル処理を施す処理部である。
【００６５】
検出部７００は、レンズバリア１０２の開閉を検出する。ユーザは、撮像を開始する際にレンズバリア１０２を開き、撮像を終了するとレンズバリアを閉じる。レンズバリア１０２には、開閉スイッチ１０９が設けられている。開閉スイッチ１０９は、例えば、作動片（アクチュエータ）が押されることで接点が開閉されるリミットスイッチまたはマイクロスイッチとしてよい。リミットスイッチは、作動体、すなわちレンズバリア１０２の動きによってアクチュエータを操作し、アクチュエータの動きを封入されたマイクロスイッチに伝達し、電気回路を開閉する。アクチュエータには、プッシュプランジャ、ローラプランジャ等、各種のものがある。開閉スイッチ１０９は、レンズバリア１０２が開かれているとき、電気回路を開き、レンズバリア１０２が閉じているとき、電気回路を閉じる。検出部７００は、この開閉スイッチ１０９による電気回路の開閉を検出する。
【００６６】
切替部７１０は、検出部７００の検出結果に基づいて、デジタルカメラ１００の電源のＯＮ／ＯＦＦを切り替える。レンズバリア１０２が開いていると検出しているとき電源をＯＮに、閉じていると検出しているときにＯＦＦにする。かかる構成により、ユーザは電源ボタン５２０Ａを操作する手間を省くことができる。また、上述の切替部７１０による電源の制御は、第１〜第３の実施形態のいずれの場合においても適用可能である。
【００６７】
このような構成を有するＣＰＵ４５０によって、撮像モード、再生モードの処理が行われる。例えば、撮像モードにおいては、まずＣＣＤ４２０をビューファインダ（ＬＣＤ６１０）画像出力用の動作モードに設定した上で所定周期（例えば３０コマ／秒）の撮像を行い、撮像に応じた画像データを逐次出力する（予備撮像）。ＣＣＤ４２０から出力された画像データは、アナログ信号処理回路４３０、Ａ／Ｄ変換器４４０、画像処理部４８０を介してＬＣＤ６１０にビューファインダ画像として表示される。この状態で、シャッタレリーズボタン５２０Ｃがユーザによって半押し（予備撮像）されると、ＣＰＵ４５０は、ＣＣＤ４２０から入力される予備撮像の画像データに基づき、ＡＥ（Auto Exposure）評価値およびＡＦ（Auto Focus）評価値を求める。ＣＰＵ４５０はＡＦ評価値に基づいて合焦位置を、公知の例えば山登り方式によって求め、ＡＥ／ＡＦ部５６０を用いて、合焦位置に撮像レンズ４１０を移動させる。また、ＣＰＵ４５０はＡＥ評価値に基づいて、本撮像時のシャッタスピード（ＣＣＤ４２０における電荷蓄積時間）、撮像レンズ４１０の絞り値およびアナログ信号処理回路４３０におけるオートゲインコントロールのゲイン値を決定する。
【００６８】
ＣＰＵ４５０は、撮像モードにおいてシャッタレリーズボタン５２０Ｃが全押し（本撮像）されると、ＣＣＤ４２０の動作モードを本撮像用の動作モードに設定した上で被写体を撮像し、ＣＣＤ４２０で取得された撮像画像データに基づき、圧縮伸張部４９０で圧縮画像を生成する。そして、圧縮された高解像度の画像データは、記録メディアであるマイクロＳＤカード１１０Ａに記録される。このマイクロＳＤカード１１０Ａにおけるデータ構造を、以下、説明する。
【００６９】
マイクロＳＤカード１１０Ａには、デジタルカメラ１００によって記録された静止画像および動画像の各コマが順に配列されて記憶される。各コマは、ファイル属性とタグ情報とＪＰＥＧ形式で圧縮された高解像度画像データ（１６００×１２００画素）が記録されている。このファイル属性ＡＴ（ATtribute）では、読み取り専用属性（Ｒ）、アーカイブ属性（Ａ）、システムファイル属性（Ｓ）および隠しファイル属性（Ｈ）が設定可能である。
【００７０】
タグ情報には、ファイル名、撮像日時、撮像に使用したデジタルカメラのシリアルナンバーおよび画像データに関連付けられた音声ファイルの情報が記録されている。この撮像日時については、リアルタイムクロック５４０における撮像時の計時情報に基づき、マイクロＳＤカード１１０Ａに記録され、写し込み設定などに利用される。
【００７１】
カードインターフェース（カードＩ／Ｆ）５８０は、マイクロＳＤカード接続部５２に装着されるマイクロＳＤカード１１０Ａへの画像データの書き込みおよび読み出しを行うインターフェースである。
【００７２】
既に図１において説明したように、レンズバリア１０２は、マイクロＳＤカード１１０Ｂが装着され、その接点部形状をＳＤカードの接点部形状に変換するメモリカード変換アダプタ１１２を接続し、あるいは、ＳＤカードそのものを接続する、収納部１１４を有する。
【００７３】
マイクロＳＤカード１１０Ａに対する画像データの読み書き時には、圧縮伸張部４９０において、例えばＪＰＥＧ形式で画像データの圧縮処理が行われ、カードインターフェース５８０を介して画像データがＲＡＭ４６０とマイクロＳＤカード１１０Ａとの問で送受信される。また、音声データの読み書き時においても、カードインターフェース５８０を介して音声データがＲＡＭ４６０とマイクロＳＤカード１１０Ａとの間で送受信される。
【００７４】
さらに、デジタルカメラ１００は、このカードインターフェース５８０を用いて、画像および音声等のデータを送受信するだけではなく、デジタルカメラ１００で動作するプログラムを取り込むことも可能である。例えば、マイクロＳＤカード１１０Ａに記録される制御プログラムを、ＣＰＵ４５０を介して、ＲＡＭ４６０またはＲＯＭ５５０内に取り込むことができる。これにより、制御プログラムを更新することも可能である。
【００７５】
フラッシュ５９０は、発光が許可されている状態で撮影補助光を発して被写体を照射する発光装置である。セルフタイマランプ６００は、セルフタイマ作動時に点滅するランプである。
【００７６】
ＬＣＤ（Liquid Crystal Display）６１０は、被写界を表示するほか、ユーザに対する各種メニューを表示し、操作のための情報を提供する表示装置である。
【００７７】
デジタルカメラ１００には、さらに、ＵＳＢ（Universal Serial Bus）端子６２０が設けられていて、ＵＳＢ規格に対応したメモリその他の周辺機器を接続可能である。
【００７８】
本実施形態によれば、メモリカード変換アダプタを常にレンズバリアに収納可能であるため、コンピュータ等の外部機器へのデータ転送用のアダプタをカメラと別に携行する不便さを解消できる。
【００７９】
しかも、メモリカード変換アダプタは、電子機器の筐体内部に収納されず、レンズバリアの内部の使われていなかった空間に収納されるため、電子機器の筐体内のスペースを占有しない。したがって、電子機器の小型化を阻害することもない。
【００８０】
本実施形態によれば、厚みの薄い平板状のレンズバリアにメモリカード変換アダプタを収納する必要があることから、収納部は、アダプタまたは同種異形のメモリカードを、レンズバリアと略平行な姿勢で収納するようにしている。また、レンズバリアのスライドを阻害せず、デジタルカメラ全体の美観を損ねないために、収納部はレンズバリアの厚みの範囲内に設けている。
【００８１】
本実施形態によれば、上述の変換アダプタ機能部は、例えば、第１のメモリカードの接点部を装着できる装着部と、第２のメモリカードの接点部形状である接点部を有し、第１のメモリカードの接点部形状を第２のメモリカードの接点部形状に変換できる。かかる構成においても、レンズバリアの一部である変換アダプタ機能部をメモリカード変換アダプタとして利用できるため、アダプタをカメラと別に携行する不便さを解消できるし、電子機器の小型化を阻害することもない。
【００８２】
本実施形態によれば、レンズバリアの形状を考慮して、アダプタを、レンズバリアと略平行な姿勢で接続することができる。
【００８３】
本実施形態によれば、装着部には、着脱に力を要するバネやスライド機構などを用いず、着脱が容易で抜き差し自在な機構になっている。
【００８４】
本実施形態によれば、装着部は、着脱が容易で抜き差し自在な機構を簡易な構成で実現でき、製造コストの削減が可能である。
【００８５】
本実施形態によれば、メモリカード変換アダプタとして機能するレンズバリアを、オプション品とすることができる。
【００８６】
本実施形態によれば、ユーザは、撮像を開始するためにはレンズバリアを開き、撮像を終了するとレンズバリアを閉じる。この動作に連動して電源装置をＯＮ／ＯＦＦすることで、電源装置を操作する手間を省くことができる。
【００８７】
以上、添付図面を参照しながら本発明の好適な実施形態について説明したが、本発明は係る例に限定されるものではない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８８】
本発明は、デジタルカメラや携帯電話機などに用いられるレンズバリア、デジタルカメラおよび携帯電話機に利用することができる。
【図面の簡単な説明】
【００８９】
【図１】本発明の第１の実施形態であるレンズバリアの構成図である。
【図２】本発明の第２の実施形態であるレンズバリアの構成図である。
【図３】本発明の第３の実施形態であるレンズバリアの構成図である。
【図４】本発明の第４の実施形態である携帯電話機の構成図である。
【図５】図１のデジタルカメラの構成の一例を示すブロック図である。
【図６】本発明の各実施形態との比較例を示す構成図である。
【符号の説明】
【００９０】
１００、２００、３００  …デジタルカメラ
１０２、２０２、３０２、３５２  …レンズバリア
１０４  …レール
１１０Ａ、１１０Ｂ  …マイクロＳＤカード
１１２  …メモリカード変換アダプタ
１１４  …収納部
２０２Ａ  …変換アダプタ機能部
２０２Ｂ  …装着部材
２０６、３０６  …装着部
３１０  …ＳＤカード
３５０  …携帯電話機
３５６  …筐体
３６１  …マイクロＳＤカード用スロット
７００  …検出部
７１０  …切替部
【図１】
2010124387.tif 000003
【図２】
2010124387.tif 000004
【図３】
2010124387.tif 000005
【図４】
2010124387.tif 000006
【図５】
2010124387.tif 000007
【図６】
2010124387.tif 000008